(57)【特許請求の範囲】
【請求項１】
複数の記録媒体のそれぞれに対し情報の記録再生をおこなうための光ピックアップであって、
前記複数の記録媒体に対応する複数の光源と、
前記複数の光源のそれぞれを駆動する複数の駆動回路と、
外部からの信号を前記駆動回路のいずれかに対して切り替えて出力する切替手段と、
前記駆動回路および前記切替手段を制御する制御回路とを備え、
前記複数の駆動回路と前記切替手段とは一体で構成されており、
前記複数の駆動回路のそれぞれと前記切替手段との伝送路の長さは、実質上同一であり、
かつ前記切替手段と前記複数の光源との伝送路の長さは、前記複数の光源のうち波長の短い光源ほど短くなっている光ピックアップ。
【請求項２】
記録可能な記録媒体に対し情報の記録を行うための第１の光源と、
情報が記録された記録媒体から情報の再生を行うための第２の光源と、
前記第１の光源を駆動する第１の駆動回路と、
前記第２の光源を駆動する第２の駆動回路と、
外部からの信号を前記第１の駆動回路または前記第２の駆動回路に対して切り替えて出力する切替手段と、
前記第１の駆動回路、前記第２の駆動回路および前記切替手段を制御する制御回路とを備え、
前記第１の駆動回路と、前記第２の駆動回路と、前記切替手段とは一体で構成されており、
前記第１の駆動回路と前記切替手段との伝送路の長さと、前記第２の駆動回路と前記切替手段との伝送路の長さは、実質上同一であり、
かつ前記切替手段と前記第１の光源との伝送路の長さは、前記切替手段と前記第２の光源との伝送路の長さより短くなっている光ピックアップ。
【請求項３】
請求項１又は２に記載の光ピックアップと、
前記光ピックアップから得られる信号を復調する復調手段と、
前記光ピックアップに対し出力する信号を変調する変調手段とを備えた情報処理装置。
【発明の詳細な説明】
【０００１】
【発明の属する技術分野】
本発明は、光学的に情報の記録再生消去等を行う情報処理装置に用いられる光ピックアップ等に関する。
【０００２】
【従来の技術】
それぞれ異なる波長で記録再生を行う複数の記録媒体を単一の装置で記録再生を行う場合、一般に、記録媒体の種類に対応して波長の異なる複数の光源を有する光ピックアップが用いられる。図９は従来の光ピックアップの構成を示している。９０１と９０２は互いに波長の異なる光源ユニットで、例えば図示していないが、光源の一例である半導体レーザ、ホログラム、光検出器等が一体で構成されている。光源ユニット９０１から出射された光はビームスプリッター（以下ＢＳ）９０３を透過した後、集光レンズ９０４で記録媒体９０５に集光される。記録媒体９０５で反射された光は、逆の光路をたどって光源ユニット９０１に入射する。光源ユニット９０１に入射した光は、光源ユニットに内蔵されているホログラムで回折され、光源ユニット内の光検出器でフォーカス、トラッキング、ＲＦ等各種信号の検出が行われる。ただし、光源ユニット９０１、９０２内部の構成や、各種信号の検出方式は、本技術および以後説明する本発明の本質的な構成要素ではなく、また様々な構成が既に公知であるためその説明は省略する。
【０００３】
光源ユニット９０２から出射された光はＢＳ９０３で反射された後、集光レンズ９０４で記録媒体９０５に集光される。記録媒体９０５からの反射光は、逆の光路をたどって光源ユニット９０２に入射し、光源ユニット９０１と同様各種信号の検出が行われる。ＢＳ９０３は光源ユニット９０１と光源ユニット９０２からの光の合成、分離を行うもので、波長によって光の反射、透過を制御するバンドパスフィルターや偏光によって制御する偏光ビームスプリッター、任意の比率で透過光と反射光に分離するハーフミラー等が一般的に用いられる。各々の光源ユニット９０１と９０２には、それぞれ駆動回路９０６と制御回路９０７、駆動回路９０８と制御回路９０９が接続されており、制御回路からの信号に応じて駆動回路が光源ユニット内の光源である半導体レーザに電流を供給し発光を制御する。
【０００４】
【発明が解決しようとする課題】
この従来の構成においては、各々の光源ユニットに毎にそれぞれ駆動回路と制御回路とが設けられているため、光ピックアップ全体の回路量が多く、コストアップや装置の大型化等の課題を有していた。
【０００５】
本発明は、少ない回路量で複数の光源を駆動すると共に、高性能な駆動特性を有する光ピックアップ等の実現を目的とする。
【０００６】
【課題を解決するための手段】
上記の目的を達成するために、第１の本発明（請求項１に対応）は、複数の記録媒体のそれぞれに対し情報の記録再生をおこなうための光ピックアップであって、
前記複数の記録媒体に対応する複数の光源と、
前記複数の光源のそれぞれを駆動する複数の駆動回路と、
外部からの信号を前記駆動回路のいずれかに対して切り替えて出力する切替手段と、
前記駆動回路および前記切替手段を制御する制御回路とを備え、
前記複数の駆動回路と前記切替手段とは一体で構成されており、
前記複数の駆動回路のそれぞれと前記切替手段との伝送路の長さは、実質上同一であり、
かつ前記切替手段と前記複数の光源との伝送路の長さは、前記複数の光源のうち波長の短い光源ほど短くなっている光ピックアップである。
【０００７】
また、第２の本発明（請求項２に対応）は、記録可能な記録媒体に対し情報の記録を行うための第１の光源と、
情報が記録された記録媒体から情報の再生を行うための第２の光源と、
前記第１の光源を駆動する第１の駆動回路と、
前記第２の光源を駆動する第２の駆動回路と、
外部からの信号を前記第１の駆動回路または前記第２の駆動回路に対して切り替えて出力する切替手段と、
前記第１の駆動回路、前記第２の駆動回路および前記切替手段を制御する制御回路とを備え、
前記第１の駆動回路と、前記第２の駆動回路と、前記切替手段とは一体で構成されており、
前記第１の駆動回路と前記切替手段との伝送路の長さと、前記第２の駆動回路と前記切替手段との伝送路の長さは、実質上同一であり、
かつ前記切替手段と前記第１の光源との伝送路の長さは、前記切替手段と前記第２の光源との伝送路の長さより短くなっている光ピックアップである。
【０００８】
また、第３の本発明（請求項３に対応）は、請求項１又は２に記載の光ピックアップと、
前記光ピックアップから得られる信号を復調する復調手段と、
前記光ピックアップに対し出力する信号を変調する変調手段とを備えた情報処理装置である。
【００２２】
これにより、少ない回路量で複数の光源を駆動すると共に、高性能な駆動特性の実現が可能となる。
【００２３】
また、少ない駆動回路で複数の光源の駆動が可能になると共に、高性能な駆動特性が実現できるという作用を有する。また、切替手段と駆動回路や光源を一体で構成することにより、さらに光ピックアップや情報処理装置の小型化、低コスト化、高性能化が実現できるという作用を有する。
【００２４】
【発明の実施の形態】
以下、本発明の光ピックアップの実施の形態について、図面を参照しながら説明するとともに、これにより、本発明の光情報記録再生情報の各実施の形態について説明を行う。
【００２５】
（実施の形態１）
図１は本発明の実施の形態１の光ピックアップの構成図である。１０１、１０２は互いに波長の異なる光源を有する光源ユニットで光源ユニット１０２に対し光源ユニット１０１の方が波長が短い。また１０３はＢＳ、１０４は集光レンズ、１０５は記録媒体、１０６は切替手段、１０７は駆動回路、１０８は制御回路である。上述した各手段の動作において、光学的な情報の記録再生動作は従来例と同様であるため説明は省略する。切替手段１０６は、記録媒体１０５の種類に応じて、駆動回路１０７からの信号を光源ユニット１０１あるいは光源ユニット１０２に切り替える動作を行う。
【００２６】
本構成により単一の駆動回路１０７と制御回路１０８とで光源ユニット１０１、光源ユニット１０２の両方を駆動することが可能となる。ここで、切替手段１０６は図１に示す通り、波長の短い光源ユニット１０１に近接して、切替手段１０６と光源ユニット１０１との伝送路長が短くなるように設けられている。
【００２７】
一般に、駆動信号を切替手段１０６を通すと、ノイズが上昇したりインピーダンスの整合が崩れて駆動波形が歪んだりする。この現象は、切替手段１０６と光源までの距離が長いと、切替手段１０６から各光源までの配線のインピーダンスの影響等でさらに不利になる。よって切替手段１０６と各光源までの距離は、いずれも短いことが望ましいが、複数の光源に対し、全ての光源と切替手段１０６の距離を短く設定することは困難である。そこで複数の光源のうち、より高品質で駆動する必要のある光源に切替手段１０６を近接して配置し、伝送路長を短くとることが望ましい。
【００２８】
図１の構成で、光源ユニット１０１の光源の波長をλ１、光源ユニット１０２の光源の波長をλ２、対物レンズ１０４の開口数をＮＡとすると、記録媒体１０５に集光されるスポットの大きさは、光源ユニット１０１はλ１／ＮＡに、光源ユニット１０２はλ２／ＮＡにそれぞれ比例する。波長の短い光源ユニット（本例では光源ユニット１０１）のスポットの方が小さいため、より高密度な情報の記録再生が可能であると共に、光源に対してはより高品質な駆動特性が要求される。
【００２９】
本構成では、切替手段１０６を波長の短い光源ユニット１０１の近傍に設け、伝送路長を短くとることにより、上記した切替手段や切替手段から光源までの配線に起因する光源の駆動品質の低下を抑制することができる。このことにより、互いに波長が異なるためにそれぞれ異なった駆動品質が必要な複数の光源に対し、各々適切な駆動を実現することが可能となる。本例では２種類の波長の場合について説明したが、λ１、λ２、λ３・・・λｎ（ｎ＝１、２，・・・）と３種類以上の波長を有する場合についても全く同様である。
【００３０】
また、本例では、光源ユニットを用いた構成を示したが、本発明は、本構成に限定されるものではなく、少なくとも、光を発する複数の光源と切替手段との配置関係において、より波長の短いほうの光源が近接して配置され、その光源と切替手段との伝送路の長さが短くなっていれば同様の効果を有することは言うまでもない。
【００３１】
図２は他の構成例を示している。図２（ａ）は、図１同様、光源ユニット１０１のほうが、光源ユニット１０２より近接して切替手段２０１のほうに設けられており、光源ユニット１０１と切替手段２０１との伝送路長が光源ユニット１０２と切替手段２０１との伝送路長より短くなっているが、本構成では切替手段２０１と駆動回路２０２が一体のユニット２０３で構成されている。本構成では、図１の構成における利点に加え、切替手段２０１と駆動回路２０２が一体で構成されることにより、切替手段２０１と駆動回路２０２との伝送路が図１の構成よりさらに短くかつ高品質で実現でき、配線等によるノイズ増加や駆動特性の劣化が軽減されるという利点を有している。ここでの一体化は、（１）同一プリント基板上に実装、（２）ハイブリッドＩＣ、（３）ＬＳＩ等の実装形態が代表的なものである。
【００３２】
図２（ｂ）は、光源ユニット内２０８の光源２０４と切替手段２０７が一体で構成されている構成例である。光源ユニット２０８内には、光源２０４、記録媒体１０５からの反射光を光検出器２０５へ導くホログラム２０６、駆動回路１０７が駆動する光源を切り替える切替手段２０７が一体で構成されている。本構成では光源２０４と切替手段２０７とが一体であるため、光源２０４と切替手段２０７との配線がより短くかつ高品質で実現でき、配線等によるノイズ増加や駆動特性の劣化が軽減されるという利点を有している。なお、光源ユニット２０８の構成は一例であり、本構成に限定されるものではない。
【００３３】
また、本発明のポイントは少なくとも光源２０４と切替手段２０７が一体で構成されている点にあり、光検出器２０５やホログラム２０６が切替手段２０７と一体である必要はない。図２（ｃ）に示すように、図２（ａ）、（ｂ）を同時に満足する構成、すなわち光源２０９と切替手段２１０と駆動回路２１１とが一体で構成される場合には、図２（ａ）、（ｂ）両方の利点を有していることは言うまでもない。
【００３４】
切替手段として、図では簡単のためスイッチの形態で図示したが、機械的なスイッチは勿論電気的なスイッチ、例えばトランジスタやＦＥＴ等による切替やアナログスイッチ等、駆動回路からの信号を切り換えられる手段であればその構成は問わないことは言うまでもない。
【００３５】
また、各光源の波長をλ１、λ２、各々の光源と切替手段との間の伝送線路長をそれぞれＬ１、Ｌ２とした時、λ１＜λ２の場合Ｌ１＜Ｌ２であれば本発明の効果は発揮される。それは以下のような理由による。すなわち、電気的に駆動回路から光源をみた時、駆動回路（切換手段、切替手段）から光源までの伝送路は負荷となる。この負荷は主として容量（以下Ｃと称す）成分と（インダクタンス（以下Ｌと称す）成分からなり、主としてＣ成分は光源の駆動波形の立ち上がり時間に、Ｌ成分は同波形の立ち上がり部のリンギング波形に影響し、いずれも小さいことが望ましいことは言うまでもない。
【００３６】
記録媒体における情報の記録密度は、集光レンズによって記録媒体上に形成される光スポットの大きさに依存し、光スポットの大きさは集光レンズの開口数ＮＡが等しい場合、光源の波長に比例する。例えば２種類の光源λ１、λ２（λ１＜λ２）の場合を考えると、光源λ１によって形成される光スポットはλ２に対し、λ１／λ２の大きさになる。このことは記録媒体の同一トラック上に情報を記録したとき、光源λ１の方がλ２に対し１トラックあたりλ２／λ１倍の記録が行え、記録媒体が同じ線速度で回転した時、光源λ１で記録媒体に記録する情報の転送速度がλ２に対しλ２／λ１倍になることを意味している。記録媒体への情報の記録は、駆動回路による光源の変調によって行われ、転送速度に比例して駆動波形の立ち上がり時間を短くする必要があることは言うまでもない。ここで駆動波形の立ち上がり時間は伝送路のＣ成分に概略比例するが、伝送路のＣ成分は該伝送路と近接した電源やグランド等の配線との間の容量成分が支配的であるため、伝送路の長さに比例する。このため、光源λ１の伝送路の長さＬ１を光源λ２の伝送路の長さＬ２のλ１／λ２にすることにより、転送速度差に見合った立ち上がり時間の設定が可能となる。
【００３７】
さらに、実際には回路要因以外にも光学要因等で、波長の短い光源に要求される性能がさらに厳しい場合があり、これらを加味した場合上記の配線割り振りよりさらにＬ１を短く設定する方が望ましい場合がある。すなわち、光源λ１と光源λ２で情報の記録を行う時、集光レンズのＮＡも同一ではなく、波長の短い光源λ１に対応するＮＡをλ２のＮＡより大きく設定して、より記録密度の向上をはかる場合がある。この場合は、情報の転送速度の比はλ２／λ１より大きくなるため、光源の駆動波形の立ち上がり時間の比Ｌ１／Ｌ２をλ１／λ２より小さく設定することにより、転送速度と立ち上がり時間のバランスがとれることになる。
【００３８】
以上のような理由により、波長の異なる両光源に対する切替手段からの伝送路の長さは、上記内容に鑑み、Ｌ１／Ｌ２≦λ１／λ２の条件下で設定することが望ましい。
【００３９】
尚、ここでは２光源の場合について説明したが、光源が３つ以上となって、波長λ２より順に波長が長くなるλ３・・λｎの場合も、Ｌ１／Ｌ３≦λ１／λ３、・・Ｌ１／Ｌｎ≦λ１／λｎと全く同様の関係を有する。
【００４０】
また、上記構成例では、複数の光源もしくは光源ユニットは独立して構成されていたが、この構成に限定されるものではない。２つ以上の光源が単一の光源ユニット内に設けられている場合についても全く同様であり、その場合も波長の短い光源に切替手段をより近接させ、光源と切替手段との伝送路長をより短いものとすることにより本発明の優れた効果が得られることは言うまでもない。また、制御回路１０８の構成には言及していないが、切替手段２０１と制御回路１０８が一体で構成されてる場合、上記利点に加え、さらなる回路の小型化や安定化が図れるという利点も有している。また、図２（ｄ）に示すように、切替手段２０１、制御回路１０８および駆動回路２０２が一体で構成されている場合も、同様の利点を有する。
【００４１】
（実施の形態２）
図３は本発明の実施の形態２の光ピックアップの構成図である。図において図１，２と同一部または相当部には同一符号を付し、詳細な説明は省略する。また３０１は本発明の第１の光源を含む光源ユニット、３０２は本発明の第２の光源を含む光源ユニットである。図３（ａ）で２つの光源ユニット３０１、３０２からの光はいずれもＢＳ３０３、集光レンズ１０４を介して記録媒体１０５上に集光され、情報の記録再生を行う。ここで光源ユニット３０１は情報の記録再生動作を行い、光源ユニット３０２は情報の再生動作のみを行う。この時光源ユニット３０１の波長と光源ユニット３０２の波長は、互いに異なっていてもよいし、同じであっても構わない。
【００４２】
光源ユニット３０１と光源ユニット３０２とを比較した場合、再生動作のみの光源ユニット３０２は一定出力で駆動されることがほとんどであるが、記録動作を行う光源ユニット３０１は記録時に高速で変調されるため、光源ユニット３０２に比べ高品質な駆動特性が要求される。すなわち、再生のみを行う光源は、一定の光出力でＤＣ発光することにより情報の再生を行うが、記録を行う光源は記録情報に応じて光源の変調を行う必要がある。駆動回路による光源の変調波形の品質は、駆動回路から光源までの伝送路によるＬ成分やＣ成分に大きく依存するが、ＤＣ発光する再生用の光源は伝送路の影響をあまり受けない。このため記録用の光源の伝送路の長さを短く設定することが望ましい。
【００４３】
本構成では、切替手段１０６が記録を行う光源ユニット３０１に近接して設けられており、切替手段１０６と光源ユニット３０１との伝送線路長が、切替手段１０６と光源ユニット３０２との伝送線路長より短くなっているため、切替手段や切替手段から光源までの配線に起因する光源ユニット３０１の駆動品質の低下を抑制することができ、単一の駆動回路１０７で記録用の光源ユニット３０１と再生用の光源ユニット３０２を各々良好に駆動できるという優れた効果を有するものである。
【００４４】
図３（ｂ）は他の構成例で、図３（ａ）の構成に対し記録再生用の光源ユニット３０４がさらに設けられている。ここで光源ユニット３０２は再生用、３０１と３０４は記録再生用で光源ユニット３０１と光源ユニット３０４とは互いに波長が異なり、光源ユニット３０１の方が、光源ユニット３０４より波長が短いものである。３つの光源ユニット３０１、３０２および３０４は、それぞれ単一の駆動回路１０７からの駆動信号で、切替手段３０７を介して選択的に駆動される。切替手段３０７は再生用の光源ユニット３０２より記録再生用の光源ユニット３０１，３０４に近接して設けられており、切替手段３０７と光源ユニット３０１および３０４との伝送線路長は、いずれも切替手段３０７と光源ユニット３０２との伝送線路長より短くなっている。
【００４５】
さらに、切替手段３０７は、記録再生用光源ユニット３０１，３０４の中でも波長のより短い光源ユニット３０１に最も近接して設けられており、切替手段３０７と光源ユニット３０１との伝送線路長は、切替手段３０７と光源ユニット３０４との伝送線路長より短くなっている。これにより実施の形態１と同様の効果が得られている。
【００４６】
本構成により、再生用光源より、記録再生用光源の方が良好な駆動特性が得られると共に、記録再生用光源においても波長がより短く、より良好な駆動特性が必要な光源ユニット３０１に対し、良好な駆動特性を実現できるという優れた効果を有している。図３では光源ユニットが２つあるいは３つの場合を例示したが、４つ以上の場合も全く同様である。
【００４７】
図４は他の構成例を示している。図４（ａ）の構成では、図２（ａ）の実施の形態１同様、切替手段２０１と駆動回路２０２が一体で構成されている。切替手段２０１が、図３同様記録再生用の光源ユニット３０１に近接して、光源ユニット３０１との伝送路長が短くなるよう設けられていることは言うまでもない。本構成では図３の利点に加え、切替手段２０１と駆動回路２０２との伝送路が図３の構成よりさらに短くかつ高品質で実現でき、配線等によるノイズ増加や駆動特性の劣化が軽減されるという利点を有している。図４（ａ）は光源ユニットが２つの場合を示したが、３つ以上の場合も同様である。
【００４８】
図４（ｂ）は図２（ｂ）同様、光源４０１と切替手段４０４が一体で構成されたものである。本構成は図３（ｂ）同様２つの記録再生用光源ユニット３０４、４０５と１つの再生用光源ユニット３０２の３つの光源ユニットで構成されている。切替手段４０４は光源ユニット４０５内で、記録再生用で且つ波長の短い光源４０１と近接して一体で構成されている。このことにより図３（ｂ）の利点に加え、光源４０１と切替手段４０４との伝送路がさらに短くかつ高品質で実現でき、配線等によるノイズ増加や駆動特性の劣化が軽減されるという利点を有している。切替手段として、図では簡単のためスイッチの形態で図示したが、機械的なスイッチは勿論電気的なスイッチ、例えばトランジスタやＦＥＴ等による切替やアナログスイッチ等、駆動回路からの信号を切り換えられる手段であればその構成は問わないことは言うまでもない。
【００４９】
また、上記構成例では、複数の光源もしくは光源ユニットは独立して構成されていたが、この構成に限定されるものではない。２つ以上の光源が単一の光源ユニット内に設けられている場合についても全く同様であり、その場合も記録再生用の光源、あるいは波長の短い光源に切替手段を近接させることにより本発明の優れた効果が得られることは言うまでもない。また、制御回路１０８の構成には言及していないが、切替手段と制御回路１０８が一体で構成されてる場合、上記利点に加え、さらなる回路の小型化や安定化が図れるという利点も有している。また、実施の形態１の図２（ｄ）に示す構成のように、切替手段２０１、制御回路１０８および駆動回路２０２が一体で構成されている場合も、同様の利点を有する。
【００５０】
（実施の形態３）
図５は本発明の実施の形態３の構成図である。１０１、１０２は互いに波長の異なる光源を有する光源ユニットで、光源ユニット１０２に対し光源ユニット１０１の方が波長が短い。また１０３はＢＳ、１０４は集光レンズ、１０５は記録媒体、５０１は切替手段、５０２は本発明の第１の駆動回路に相当する駆動回路、５０３は本発明の第２の駆動回路に相当する駆動回路、１０８は制御回路である。光学的な情報の記録再生動作は従来例や実施の形態１と同様であるため説明は省略する。切替手段５０１は制御回路１０８からの信号を光源ユニット１０１用の駆動回路５０２あるいは光源ユニット１０２用の駆動回路５０３に切り替える動作を行う。
【００５１】
以上のような本構成では、複数の光源ユニットにそれぞれ対応した複数の駆動回路を有しており、実施の形態１のように光源ユニットと駆動回路との間に切替手段を持たない。したがって、切替手段自体の内部損失による駆動特性の劣化は生じないという利点がある。
【００５２】
さらに本構成は、単一の制御回路１０８で駆動回路５０２、駆動回路５０３の両方を駆動することが可能となり、同様の従来の構成に対し回路の削減小型化が可能になる。
【００５３】
ここで、切替手段５０１は図５に示す通り、波長の短い光源ユニット１０１に近接して、駆動手段５０２を介した切替手段５０１と光源ユニット１０１との伝送路長が短くなるように設けられている。このとき、駆動回路５０２と光源ユニット１０１との伝送路長と、駆動回路５０３と光源ユニット１０２との伝送路長とは同一であり、切替手段５０１と駆動手段５０２との伝送路長は、切替手段５０１と駆動手段５０３との伝送路長より短くなるようにしている。
【００５４】
一般に、制御回路１０８からの制御信号を切替手段５０１に通すと、ノイズが混入したり制御信号波形に遅延が発生したりする。この現象は、切替手段５０１と駆動回路や光源までの距離が長いと、配線等の影響でさらに不利になる。よって切替手段５０１と各光源までの距離は短いことが望ましいが、複数の光源に対し、全ての光源と切替手段５０１の距離を短く設定することは困難である。そこで複数の光源のうち、より高品質で駆動する必要のある光源に切替手段５０１を近接して配置し、伝送路長を短くとることが望ましい。
【００５５】
図５の構成で、光源ユニット１０１の光源の波長をλ１、光源ユニット１０２の光源の波長をλ２、対物レンズ１０４の開口数をＮＡとすると、記録媒体１０５に集光されるスポットの大きさは、、光源ユニット１０１はλ１／ＮＡに、光源ユニット１０２はλ２／ＮＡにそれぞれ比例する。波長の短い光源ユニット（本例では光源ユニット１０１）のスポットの方が小さいため、より高密度な情報の記録再生が可能であると共に、光源に対してはより高品質な駆動特性が要求される。
【００５６】
本構成では、切替手段５０１を波長の短い光源ユニット１０１の近傍に設け、伝送路長を短くとることにより、上記した切替手段や切替手段から光源や駆動回路までの配線に起因する光源の駆動品質の低下を抑制することができる。このことにより、互いに波長が異なるためにそれぞれ異なった駆動品質が必要な光源に対し、各々適切な駆動を実現することが可能となる。本例では２種類の波長の場合について説明したが、λ１、λ２、λ３・・・λｎ（ｎ＝１、２，・・・）と３種類以上の波長を有する場合についても全く同様である。また、本例では光源ユニットを用いた構成を示したが、本発明は、本構成に限定されるものではなく、少なくとも、光を発する複数の光源と切替手段との配置関係において、より波長の短いほうの光源が近接して配置され、対応する駆動手段を介したその光源と切替手段との伝送路の長さが短くなっていれば同様の効果を有することは言うまでもない。このとき、駆動回路５０２と光源ユニット１０１との伝送路長が、駆動回路５０３と光源ユニット１０２との伝送路長より短くなるようにし、切替手段５０１と駆動手段５０２との伝送路長は、切替手段５０１と駆動手段５０３との伝送路長と同一であるようにしてもよい。
【００５７】
図６は他の構成例を示している。図６（ａ）は、図５同様、光源ユニット１０１のほうが、光源ユニット１０２より近接して切替手段６０１のほうに設けられており、光源ユニット１０１と切替手段６０１との伝送路長が光源ユニット１０２と切替手段６０１との伝送路長より短くなっているが、本構成では切替手段６０１と駆動回路６０２が一体のユニット６０３で構成されている。このとき、図５の例と同様、駆動回路５０２と光源ユニット１０１との伝送路長と、駆動回路５０３と光源ユニット１０２との伝送路長とは同一であり、ユニット６０３において、一体化した切替手段６０１と駆動手段６０２との伝送路長は、切替手段６０１と駆動手段５０３との伝送路長より短くなるようにしている。
【００５８】
本構成では、図５の構成における利点に加え、切替手段６０１と駆動回路６０２とが一体で構成されることにより、切替手段６０１と駆動回路６０２との伝送路が図５の構成より短くかつ高品質で実現でき、配線等によるノイズ増加や駆動特性の劣化が軽減されるという利点を有している。ここでの一体化は、（１）同一プリント基板上に実装、（２）ハイブリッドＩＣ、（３）ＬＳＩ等の実装形態が代表的なものである。
【００５９】
なお、図１０（ａ）に示すように、ユニット６０３において、一体化した切替手段６０１と駆動手段６０２との伝送路長は、切替手段６０１と駆動手段５０３との伝送路長と同一として、駆動回路６０２と光源ユニット１０１との伝送路長を、駆動回路５０３と光源ユニット１０２との伝送路長より短くすることにより、光源ユニット１０１と切替手段６０１との伝送路長を、光源ユニット１０２と切替手段６０１との伝送路長より短くしてもよい。
【００６０】
さらに図１０（ｂ）に示すように、切替手段６０９と、光源ユニット１０１用の駆動回路６１０と光源ユニット１０２用の駆動回路６１１とが一体化したユニット６１２を備えた構成としてもよい。このとき、ユニット６１２において、一体化した切替手段６０９と駆動回路６１０との伝送路長は、切替手段６０９と駆動回路６１１の伝送路長と同一として、駆動回路６１０と光源ユニット１０１との伝送路長が、駆動回路６１１と光源ユニット１０２との伝送路長より短くすることにより、光源ユニット１０１と切替手段６０９との伝送路長を、光源ユニット１０２と切替手段６０９との伝送路長より短くするのが望ましい。
【００６１】
図６（ｂ）は、光源ユニット内６０８の光源６０４と駆動回路６０７が一体で構成されている構成例である。光源ユニット６０８内には、光源６０４、記録媒体１０５からの反射光を光検出器６０５へ導くホログラム６０６、光源６０４を駆動する駆動回路６０７が一体で構成されている。本構成では光源６０４と駆動回路６０７が一体であるため、光源６０４と駆動回路６０７との配線が短くかつ高品質で実現でき、配線等によるノイズ増加や駆動特性の劣化が軽減されるという利点を有している。なお、光源ユニット６０８の構成は一例であり、本構成に限定されるものではない。
【００６２】
また、本発明のポイントは光源６０４と駆動回路６０７が一体で構成されている点にあり、光検出器６０５やホログラム６０６が一体である必要はない。図示していないが図６（ａ）、（ｂ）を同時に満足する構成、すなわち光源と切替手段と駆動回路が一体で構成される場合には、図６（ａ）、（ｂ）両方の利点を有していることは言うまでもない。
【００６３】
また、図６（ｂ）と図１０（ｂ）とを同時に満足する構成、すなわち光源と切換手段と２つの駆動回路とを一体に構成してもよく、この場合は図６（ｂ）および図１０（ｂ）の各構成の両方の利点を有していることは言うまでもない。
【００６４】
切替手段として、図では簡単のためスイッチの形態で図示したが、機械的なスイッチは勿論電気的なスイッチ、例えばトランジスタやＦＥＴ等による切替やアナログスイッチ等、制御回路からの信号を切り換えられる手段であればその構成は問わないことは言うまでもない。また、外部からの電気的ノイズの影響を避けるため、制御回路から駆動回路への信号を光ファイバーや光導波路等で光を用いて伝送する場合がある。この時切替手段としては光スイッチ等が用いられるが、この場合も光スイッチ等の切替手段が波長の短い光源に近接して設けられ、切替手段と光源との伝送路長がより短くなることにより本発明の優れた効果を有することは言うまでもない。
【００６５】
また、上記構成例では、複数の光源もしくは光源ユニットは独立して構成されていたが、この構成に限定されるものではない。２つ以上の光源が単一の光源ユニット内に設けられている場合についても全く同様であり、その場合も波長の短い光源に切替手段を近接させることにより本発明の優れた効果が得られることは言うまでもない。また、制御回路１０８の構成には言及していないが、切替手段と制御回路１０８が一体で構成されてる場合、上記利点に加え、さらなる回路の小型化や安定化が図れるという利点も有している。また、実施の形態１の図２（ｄ）に示す構成のように、切替手段２０１、制御回路１０８および駆動回路２０２が一体で構成されている場合も、同様の利点を有する。
【００６６】
また、実施の形態１と同様の理由により、波長の異なる２つの光源に対する切替手段からの伝送路の長さは、短い波長をλ１とし、その伝送路長をＬ１，他方の波長をλ２，対応する伝送線路長をＬ２とすると、Ｌ１／Ｌ２≦λ１／λ２の条件下で設定することが望ましく、光源が３つ以上となって、波長λ２より順に波長が長くなるλ３・・λｎの場合も、Ｌ１／Ｌ３≦λ１／λ３、・・Ｌ１／Ｌｎ≦λ１／λｎと全く同様の関係となるのが望ましい。
【００６７】
（実施の形態４）
図７は本発明の実施の形態４の構成図である。図において図５，６と同一部または相当部には同一符号を付し、詳細な説明は省略する。また７０１は本発明の第１の光源を含む光源ユニット、７０２は本発明の第２の光源を含む光源ユニットである。図７（ａ）で２つの光源ユニット７０１、７０２からの光はＢＳ７０３、集光レンズ１０４を介して記録媒体１０５上に集光され、情報の記録再生を行う。ここで光源ユニット７０１は情報の記録再生動作を行い、光源ユニット７０２は情報の再生動作のみを行う。この時光源ユニット７０１と光源ユニット７０２の波長は、互いに異なっていてもよいし、同じであっても構わない。
【００６８】
切替手段５０１は制御回路１０８からの信号を光源ユニット７０１用の駆動回路５０２あるいは光源ユニット７０２用の駆動回路５０３に切り替える動作を行う。
【００６９】
光源ユニット７０１と光源ユニット７０２とを比較した場合、再生動作のみの光源ユニット７０２は一定出力で駆動されることがほとんどであるが、記録動作を行う光源ユニット７０１は記録時に高速で変調されるため、光源ユニット７０２に比べ高品質な駆動特性が要求される。すなわち、実施の形態２と同様、再生のみを行う光源は、一定の光出力でＤＣ発光することにより情報の再生を行うが、記録を行う光源は記録情報に応じて光源の変調を行う必要がある。駆動回路による光源の変調波形の品質は、駆動回路から光源までの伝送路によるＬ成分やＣ成分に大きく依存するが、ＤＣ発光する再生用の光源は伝送路の影響をあまり受けない。このため記録用の光源の伝送路の長さを短く設定することが望ましい。
【００７０】
本構成では、切替手段５０１は図７（ａ）に示す通り、記録再生用の光源ユニット７０１に近接して設けられており、駆動手段５０２を介した切替手段５０１と光源ユニット７０１との伝送線路長が、駆動手段５０３を介した切替手段１０６と光源ユニット７０２との伝送線路長より短くなっているため、切替手段や切替手段から光源までの伝送路に起因する光源ユニット７０１の駆動品質の低下を抑制することができ、単一の制御回路１０８で記録用の光源ユニット７０１と再生用の光源ユニット７０２を各々良好に駆動できるという優れた効果を有するものである。
【００７１】
また、本構成では複数の光源ユニットにそれぞれ対応した複数の駆動回路を有しており、実施の形態２のように光源ユニットと駆動回路との間に切替手段を持たない。したがって、切替手段自体の内部損失による駆動特性の劣化は生じないという利点がある。さらに本構成は、単一の制御回路１０８で駆動回路５０２、５０３の両方を駆動することが可能となり、同様の従来の構成に対し回路の削減小型化が可能になる。
【００７２】
図７（ｂ）は他の構成例で、図７（ａ）の構成に対し記録再生用の光源ユニット７０４がさらに設けられている。ここで光源ユニット７０２は再生用、光源ユニット７０１および光源ユニット７０４は記録再生用で光源ユニット７０１と光源ユニット７０４は互いに波長が異なり、光源ユニット７０１の方が光源ユニット７０４より波長が短いとする。３つの光源ユニット７０１，７０２および７０４は、それぞれ単一の制御回路１０８からの駆動信号で、切替手段７０７を介して選択的に駆動される。切替手段７０７は再生用の光源ユニット７０２より記録再生用の光源ユニット７０１，７０４に近接して設けられており、切替手段７０７と光源ユニット７０１および７０４との伝送線路長は、いずれも切替手段７０７と光源ユニット７０２との伝送線路長より短くなっている。
【００７３】
さらに、切替手段７０７は、記録再生用光源ユニット７０１，７０４の中でも波長のより短い光源ユニット７０１に最も近接して設けられており、切替手段７０７と光源ユニット７０１との伝送線路長は、切替手段７０７と光源ユニット７０４との伝送線路長より短くなっている。これにより実施の形態１と同様の効果が得られている。
【００７４】
本構成により、再生用光源より記録再生用光源の方が良好な駆動特性が得られると共に、記録再生用光源においても波長が短く、より良好な駆動特性が必要な光源ユニット７０１に対し、良好な駆動特性を実現できるという優れた効果を有している。図７では光源ユニットが２つあるいは３つの場合を例示したが、４つ以上の場合も全く同様である。
【００７５】
図８は他の構成例を示している。図８（ａ）の構成では、図６（ａ）の実施の形態３同様、切替手段６０１と駆動回路６０２が一体で構成されている。切替手段６０１が、図７同様記録再生用の光源ユニット７０１に近接して、光源ユニット７０１との伝送路長が短くなるよう設けられていることは言うまでもない。本構成では図７の利点に加え、切替手段６０１と駆動回路６０２との伝送路が図７の構成よりさらに短く、かつ高品質で実現でき、配線等によるノイズ増加や駆動特性の劣化が軽減されるという利点を有している。図８（ａ）は光源ユニットが２つの場合を示したが、３つ以上の場合も同様である。図８（ｂ）は図６（ｂ）同様、光源８０１と駆動回路８０４が一体で構成されたものである。本構成は図７（ｂ）同様２つの記録再生用光源ユニット８０５、７０４と１つの再生用光源ユニット７０２の３つの光源ユニットで構成されている。駆動回路８０４は光源ユニット８０５内で、記録再生用で且つ波長の短い光源８０１と近接して一体で構成されている。このことにより図７（ｂ）の利点に加え、光源８０１と駆動回路８０４との伝送路がさらに短くかつ高品質で実現でき、配線等によるノイズ増加や駆動特性の劣化が軽減されるという利点を有している。
【００７６】
また、図示していないが、実施の形態３の図１０（ｂ）に示す構成と同様に、図８（ａ）、（ｂ）の各構成においても、切換手段と複数の駆動回路とを一体で構成するようにしてもよい。この場合も、図１０（ｂ）の構成と同様の効果を有することは言うまでもない。
【００７７】
切替手段として、図では簡単のためスイッチの形態で図示したが、機械的なスイッチは勿論電気的なスイッチ、例えばトランジスタやＦＥＴ等による切替やアナログスイッチ等、制御回路からの信号を切り換えられる手段であればその構成は問わないことは言うまでもない。また、外部からの電気的ノイズの影響を避けるため、制御回路から駆動回路への信号を光ファイバーや光導波路等で光を用いて伝送する場合がある。この時切替手段としては光スイッチ等が用いられるが、この場合も光スイッチ等の切替手段が波長の短い光源に近接することにより本発明の優れた効果を有することは言うまでもない。
【００７８】
また、実施の形態１と同様の理由により、光源ユニット７０２および７０４のような、波長の異なる２つの光源に対する切替手段からの伝送路の長さは、短い波長をλ１とし、その伝送路長をＬ１，他方の波長をλ２，対応する伝送線路長をＬ２とすると、Ｌ１／Ｌ２≦λ１／λ２の条件下で設定することが望ましく、光源が３つ以上となって、波長λ２より順に波長が長くなるλ３・・λｎの場合も、Ｌ１／Ｌ３≦λ１／λ３、・・Ｌ１／Ｌｎ≦λ１／λｎと全く同様の関係となるのが望ましい。
【００７９】
上記構成例では、複数の光源もしくは光源ユニットは独立して構成されていたが、この構成に限定されるものではない。２つ以上の光源が単一の光源ユニット内に設けられている場合についても全く同様であり、その場合も記録再生用の光源、あるいは波長の短い光源に切替手段を近接させることにより本発明の優れた効果が得られることは言うまでもない。また、制御回路１０８の構成には言及していないが、切替手段と制御回路１０８が一体で構成されてる場合、上記利点に加え、さらなる回路の小型化や安定化が図れるという利点も有している。また、実施の形態１の図２（ｄ）に示す構成のように、切替手段２０１、制御回路１０８および駆動回路２０２が一体で構成されている場合も、同様の利点を有する。
【００８０】
なお、上記の各実施の形態においては、光ピックアップとして説明を行ったが、本発明は、本発明の光ピックアップから得られる信号を復調する復調手段と、光ピックアップに対し出力する信号を変調する変調手段とを備えた情報処理装置として実現してもよい。
【００８１】
【発明の効果】
以上のように本発明は、少ない回路量で複数の光源を駆動すると共に、高性能な駆動特性の実現が可能になるという優れた効果が得られる。
【図面の簡単な説明】
【図１】本発明の実施の形態１による情報処理装置の構成図
【図２】（ａ）本発明の実施の形態１による他の構成例を示す図
（ｂ）本発明の実施の形態１による他の構成例を示す図
（ｃ）本発明の実施の形態１による他の構成例を示す図
【図３】（ａ）本発明の実施の形態２による情報処理装置の構成図
（ｂ）本発明の実施の形態２による情報処理装置の構成図
【図４】（ａ）本発明の実施の形態２による他の構成例を示す図
（ｂ）本発明の実施の形態２による他の構成例を示す図
【図５】本発明の実施の形態３による情報処理装置の構成図
【図６】（ａ）本発明の実施の形態３による他の構成例を示す図
（ｂ）本発明の実施の形態３による他の構成例を示す図
【図７】（ａ）本発明の実施の形態４による情報処理装置の構成図
（ｂ）本発明の実施の形態４による情報処理装置の構成図
【図８】（ａ）本発明の実施の形態４による他の構成例を示す図
（ｂ）本発明の実施の形態４による他の構成例を示す図
【図９】従来の光ピックアップの構成図
【図１０】（ａ）本発明の実施の形態３による他の構成例を示す図
（ｂ）本発明の実施の形態３による他の構成例を示す図
【符号の説明】
１０５，９０５  記録媒体
１０４，９０４  集光レンズ
１０１，１０２，２０８，２０９，３０１，３０２，３０４，４０５，６０８，７０１，７０２，７０４，８０５，９０１，９０２  光源ユニット
１０３，３０３，３０５，３０６，７０３，７０５，７０６，９０３  ビームスプリッター（ＢＳ）
１０６，２０１，２１１，２０７，２１０，３０７，４０４，５０１，６０１，６０９，７０７  切替手段
１０７，２０２，５０２，５０３，５０４，６０２，６０７，６１０，６１１，８０４，９０６，９０８  駆動回路
１０８，９０７，９０９  制御回路
２０５，４０２，６０５，８０２  光検出器
２０６，４０３，６０６，８０３  ホログラム
２０３，２１２，６０３，６１２ユニット
【図１】
0003851555.tif 000002
【図２】
0003851555.tif 000003
【図３】
0003851555.tif 000004
【図４】
0003851555.tif 000005
【図５】
0003851555.tif 000006
【図６】
0003851555.tif 000007
【図７】
0003851555.tif 000008
【図８】
0003851555.tif 000009
【図９】
0003851555.tif 000010
【図１０】
0003851555.tif 000011